(57)【要約】【課題】  動物のリハビリに求められる種々の運動パターンを行うことができ、かつ予測不可能な行動を起こし得る動物に適応した動物用プールを提供する。【解決手段】  リング状に形成したプール槽３と、前記プール槽３内に配設され、プール槽３の底部４から側壁上部５ａまでの間を昇降し、かつ回転可能なリング状の回転床板６とを備えた構成にする。また、回転床板６の上方位置において動物２を昇降動可能に吊保持する複数の動物吊保持手段９と、前記複数の動物吊保持手段９を回転床板６に沿って回転させる動物吊保持機構とを備えるとより好ましい構成となる。【選択図】  図１
2007300881.tif 000002
【特許請求の範囲】
【請求項１】
リング状に形成したプール槽と、前記プール槽内に配設され、プール槽の底部から側壁上部までの間を昇降し、かつ回転可能なリング状の回転床板とを備えたことを特徴とする動物用プール。
【請求項２】
回転床板の上方位置において動物を昇降動可能に吊保持する複数の動物吊保持手段と、前記複数の動物吊保持手段を回転床板に沿って回転させる動物吊保持機構とを備えた請求項１記載の動物用プール。
【請求項３】
前記回転床板は、複数に分割可能で、取り外し可能に形成された請求項１又は請求項２に記載の動物用プール。
【請求項４】
動物吊保持手段は、動物の胴部を巻着して保持するジャケットを備え、このジャケットは浮体機能を備えた請求項２記載の動物用プール。
【発明の詳細な説明】
【技術分野】
【０００１】
本発明は、動物用プールに関し、特に動物のリハビリを行うためのプールであって、例えばプールの水深調整等が可能な動物用プールに関するものである。
【背景技術】
【０００２】
従来より、動物がリハビリを行うための設備として、特許文献１に記載の動物用運動補助具が提案されている。
【０００３】
特許文献１に記載の動物用運動補助具は、四足動物の胴部に巻着され、かつ前足挿入孔を有するジャケットと、一端がジャケットに係止され、かつ他端にジャケットを浴槽の縁等に繋留するための固定手段が設けられた繋策とを備えたものである。この動物用運動補助具により、例えば犬等の四足動物を、家庭の浴槽等において、繋策とジャケットとにより繋留して、水中遊泳運動を継続して、簡単かつ安全に行わせることができ、医薬等に頼ることなく、犬等の肥満を防止しうると共に、足の骨折後のリハビリ等に最適となる。具体的には、この水中遊泳運動においては、犬等の体重が足にほとんど掛かることなく、水の抵抗を利用して、足の筋肉を鍛えることができるので、特に肥満犬の運動や足の骨折後のリハビリに最適なものであった（特許文献１参照。）。
【０００４】
また、リハビリ用の設備として、種々のプールが提案されているが、人が利用するためのプールであって、動物が利用するのに適したプールは、存在しなかった。なお、人が利用するためのプールの一例としては、例えば、特許文献２に記載のプールとしては、昇降床体を目的に応じ適宜高さに設定しえるプールであって、具体的には、プール本体の両側壁部に機構組込み用縦溝部を複数箇所形成し、各機構組込み用縦溝部に備えた縦型シリンダのロッド端に動滑車を取付け、動滑車に掛ける索条の一端を本体側に固定すると共に、動滑車を介し反転する索条の他端をシリンダ下方位置に臨ませて昇降用支持腕を設け全体としてストローク倍増昇降機構を構成し、プール本体内に横突出する前記各昇降用支持腕でプール本体内に配置した昇降床底体を支持し、前記動滑車の上下動で追従の昇降床底体をプール底部からプールまで水面間を増大昇降するものであった（特許文献２参照。）。そして、このプール施設により、例えば股関節疾患を持った人が、激痛を伴うことなく、安心してリハビリを楽しむことが可能となっていた。
【特許文献１】特開２００４−８１０７２号公報
【特許文献２】特開平９−６０３１８号公報
【発明の開示】
【発明が解決しようとする課題】
【０００５】
しかしながら、従来の動物リハビリ設備、すなわち動物用運動補助具では、吊り下げた状態の動物を浴槽に漬して遊泳運動を促すための道具に過ぎず、限られた運動パターンしかできないものであった。このため、リハビリに求められる種々の運動パターンを行うことができず、肥満犬の運動や足の骨折後のリハビリに最適なものとはいえなかった。
【０００６】
また、リハビリ用の設備としての従来のプールは、人が利用するためのプールであって、動物が利用するのに適したものではなかった。具体的には、犬や猫などの動物は、勝手にプールに入ったり、また反対に勝手にプールから出たりと、予測不可能な行動を起こすため、十分なリハビリ効果が得ることが困難であった。
【０００７】
そこで、本発明は上記問題点に鑑み、リハビリに求められる種々の運動パターンを行うことができ、かつ予測不可能な行動を起こし得る動物に適応したリハビリを行うための設備としての動物用プールを提供することを目的とする。
【課題を解決するための手段】
【０００８】
本発明の動物用プールは、上記目的を達成するため、リング状に形成したプール槽と、前記プール槽内に配設され、プール槽の底部から側壁上部までの間を昇降し、かつ回転可能なリング状の回転床板とを備えたことを特徴とする。
【０００９】
本発明によれば、所定の水深に位置させた回転床板に動物を置き、そして回転床板を回転させることにより、動物が水に浸った状態で歩行運動することができ、動物の体重が足にほとんど掛かることなく、水の抵抗を利用して、足の筋肉を鍛えることができるので、特に肥満犬の運動や足の骨折後のリハビリに最適なものとなる。
【００１０】
本発明において、回転床板の上方位置において動物を昇降動可能に吊保持する複数の動物吊保持手段と、前記複数の動物吊保持手段を回転床板に沿って回転させる動物吊保持機構とを備えた構成とすると好適である。これによりプール槽内において、動物を保持した状態で運動させることができるため、予測不可能な行動を起こし得る動物に対し、行動範囲を狭めることができるため、安全面において優れる。また動物吊保持手段を昇降動させることで、動物を所定の水深に位置させることができ、これにより動物が遊泳訓練や水に浸った状態での歩行訓練を行うことができる。
【００１１】
また、前記回転床板は、複数に分割可能で、取り外し可能に形成された構成にすると好ましい。これにより、メンテナンスが容易となる。なお、当該プールは動物が利用するため、抜け毛等が水中に混入し、頻繁にメンテナンスが必要と見込まれる。このことからメンテナンス容易性は施設運営上、重要なメリットと考える。
【００１２】
また、動物吊保持手段は、動物の胴部を巻着して保持するジャケットを備え、このジャケットは浮体機能を備えた構成にすることで、安全性を向上することができる。
【００１３】
そして、回転床板は、プール槽内の底部近傍から水面より上の位置に昇降動可能とすることで、例えば、回転床板が、プール槽内の底部近傍に位置した場合には、動物吊保持手段に保持された動物は遊泳運動の訓練が可能となり、また回転床板が、プール槽内の水面より上に位置した場合には、動物を動物吊保持手段に保持しやすくなり、また回転床板が、プール槽内の底部近傍から水面の間、すなわち所定の水深位置に位置した場合には、動物が水に浸った状態で歩行運動することができる。
【発明の効果】
【００１４】
本発明によれば、動物のリハビリに求められる種々の運動パターンを行うことができ、かつ予測不可能な行動を起こし得る動物に適応した動物用プールを提供するこができる。
【発明を実施するための最良の形態】
【００１５】
以下に本発明の実施形態を図１〜図８に基づいて詳細に説明する。図１は本実施形態の動物用プールを示す斜視図である。図２は本実施形態の動物用プールを示す平面図である。図３は本実施形態の動物用プールの縦断面図である。図４〜図６は本実施形態の動物用プールの動作を示す縦断面図である。図７は本実施形態の動物用プールの回転床板と昇降板の間に備えられたベアリングを示す断面図である。
【００１６】
本実施形態の動物用プール１は、図１〜図３に示すように、犬等の動物２を所定の水位に貯められた水に浸かった状態で運動させるものであって、円形リング状に形成したプール槽３と、このプール槽３の底部４から両側壁５の上部５ａまでの間を昇降し、かつ回転可能な円形リング状の回転床板６と、この回転床板６を昇降させる昇降機構７と、前記回転床板６を回転させる回転機構８と、プール槽３内において動物２を吊保持する動物吊保持手段９とを備えた構成である。
【００１７】
前記プール槽３は、FRPにより形成されており、外径は約４ｍ、プール槽３内の水路幅は約１．５ｍ、内径は約０．５ｍ、側壁５の高さは約１ｍとなるように形成されている。またプール全体の高さは装飾品１０を含め約２．５ｍに形成されている。そして、プール槽３はFRPより形成されているため、組立持ち運びが可能となり、例えばビル内にプール設備を設ける際に、施工工事等が短縮でき、容易に設置することができる。
【００１８】
図１、図２に示すように、プール槽３の外側壁５ｂには、動物２がプール槽３内へ入るための入口スロープ部１１と、出るための出口スロープ部１２が設けられている。
【００１９】
この入口スロープ部１１は外側壁５ｂに固定された上り用スロープ１１ａと、この上り用スロープ１１ａに連結するようにプール槽３の側壁上端５ａに水平に設けられた踊り場１１ｂと、この踊り場１１ｂにヒンジ１３を介して上下方向に回動自在に取付けられた下り用スロープ１１ｃとから構成されている。この下り用スロープ１１ｃには手摺１４が設けられており、犬等の動物２とその飼い主が一緒にプール槽３内に入る時（特に飼い主が後ろ向きになってプールに入る時）に安全にかつスムースに入ることができる。またこの下り用スロープ１１ｃの先端側（回転床板６との接触側）には複数のコロ１５が備えられている。そして、下り用スロープ１１ｃは、回転床板６の昇降動に追随して、前記ヒンジ１３を軸に上下方向に回動する。なお出口スロープ部１２も同様の構成をしている。
【００２０】
またプール槽３には、図２に示すように、その外側壁５ｂに沿って一方向に流れる流水を発生させる流水発生装置１６が備えられている。そして、この流水発生装置１６により、プール槽３内に所定方向（時計回り）の流水を発生させるため、プールを利用する動物２は、この流水に逆らうように反時計回り方向に歩行したり、あるいは泳いだりすることが可能な構成となる。
【００２１】
また、図１に示す１７は、外側壁５ｂに設けた窓部である。この窓部１７によりプール槽３内の動物２の動きが観察し易くなる。特にリハビリ中の動物（犬）２は、水中における足の動きに注目する必要があり、この窓部１７を形成することで容易に観察することができる。
【００２２】
前記回転床板６は、FRPにより形成されており、図２に示すように、４つの分割板６ａ〜６ｄから構成されている。そして回転床板６の表面には動物２が運動する際に滑って転倒するのを防止するためにゴム製のマット（図示省略）が敷かれている。
【００２３】
前記昇降機構７は、図４〜図６に示すように、前記回転床板６を複数のベアリング１８を介して載置する昇降板１９と、昇降板１９を昇降動させる昇降手段２０とから構成されており、この昇降手段２０は、プール槽３の所定位置に配された縦型シリンダ２１と、一端を前記縦型シリンダ２１のロッド２２および他端を前記昇降板１９に固定された索条２３と、前記索条２３を掛けるプーリ２４とから構成され、前記縦型シリンダ２１のロッド２２の進退動作に伴って昇降板１９が昇降動する。
【００２４】
前記昇降板１９は、昇降可能かつ回転不可に構成され、かつステンレスによりなり、一体の円形リング形状に形成されている。なお昇降板１９の表面上に設けられたベアリング１８は、図７に示すように、基部１８ａとボール部１８ｂからなり、それぞれステンレスからなっている。このベアリング１８の配置位置は、プール槽３の内側壁５ｃ近傍と外側壁５ｂ近傍にそれぞれ複数備えられている。このベアリング１８により回転床板６は昇降板１９上をスムースに回転することができる。
【００２５】
前記縦型シリンダ２１は油圧式シリンダであって、プール槽３の内側壁５ｃの内側に４つ備えられている。なお、縦型シリンダ２１の油圧ポンプ２５はプール槽３の外部に配置されている。そして各々の縦型シリンダ２１のロッド２２には索条２３が取付られており、また各索条２３の他端側は昇降板１９の所定箇所に固定されている。なおプーリ２４は各縦型シリンダ２１のロッド２２と昇降板１９とに配された索条２３を掛けるように、側壁上端５ａの４箇所にそれぞれ設けられている。そして、前記縦型シリンダ２１の進退動作に伴って昇降板１９が昇降動し、この縦型シリンダ２１は、図示しない制御装置によりその進退動作を制御されている。
【００２６】
これにより、簡単でコンパクトな構成で回転床板６の昇降動が可能となり、さらに縦型シリンダ２１をプール槽３の内側壁５ｃで囲まれる空間内に配することが可能なことから、階下に部屋等があっても昇降機構７を構成することができる。
【００２７】
なお、昇降手段２０の他の実施形態として、図８に示すように、プール槽３の所定位置に配された駆動モータ２６と、プール槽３の底部４近傍および側壁上部５ａ近傍に配されたスプロケット２７、２８と、前記両スプロケット２７、２８に掛けられると共に前記駆動モータ２６の駆動を伝達する無端ベルト２９と、前記無端ベルト２９に取付られると共に昇降板１９に連結されたスライダ３０とから構成され、前記駆動モータ２６の駆動に伴って昇降板１９が昇降動する構成にしても良い。
【００２８】
前記回転機構８は、図３に示すように、プール槽３の中心部に設けた軸体３１と、前記軸体３１を回転させるモータ３２と、一端を前記軸体３１に固定され他端を回転床板６に連結されたL字状の接続部材３３とから構成され、前記軸体３１の回転動作に伴って回転床板６が回転動する構成となっている。
【００２９】
前記軸体３１は円筒状に形成されると共に、プール槽３の中心に垂設した円柱状の軸３４に、回転自在に嵌合された構成となっている。また軸体３１の側周面には前記モータ３２の回転動を伝達すべくスプロケット３５が形成されている。前記接続部材３３の他端において、伸縮自在な伸縮部材３６（例えば、多数の径の異なる筒状体を各々収納した伸縮ロッド）を介して回転床板６に連結された構成にすることで、回転床板６が昇降動した際に、例えば図４に示すような回転床板６が上方の場合、あるいは図６に示すような回転床板６が下方の場合であっても接続部材３３と回転床板６が接続された状態となって、常にモータ３２の回転動を回転床板６に伝達することができる。
【００３０】
そして、接続部材３３には、回転床板６と伸縮部材３６との連結部位を遮蔽する円筒状の遮蔽板３７が設けられている。これにより、動物２が接続部材３３や伸縮部材３６に巻き込まれるという事故を防止することができる。また、遮蔽板３７は、図２に示すように、その一部（遮蔽板３７の約四分の一大に形成された開閉板）３７ａがヒンジを介して開閉可能な構成となっている。そして遮蔽板３７は、通常この開閉板３７ａが閉状態となって円筒状となっているが、開閉板３７ａが開状態となることで、図２に示すように、プール槽３内の動物２を出口用スロープ部１２へ導くアプローチ路を形成することができる。このとき遮蔽板３７の開閉板３７ａの端辺３７ｂと出口用スロープ部１２の手摺１４とが連結できる手段を設けると好ましい。
【００３１】
なお、上記に説明した軸体３１について、他の形態が考えられる。すなわちプール槽３の中心に垂設した軸３４に、回転自在かつ上下動自在に嵌合された構成にすると、接続部材３３と回転床板６との連結に前記伸縮部材３６を介する必要がなくなり部品点数を低減することができる。
【００３２】
前記動物吊保持手段９は、図２、図３に示すように、動物２の胴部を巻着して保持するジャケットを備え、前記ジャケットは浮体機能を備えた構成にすることで、安全性を向上することができる。そして、この動物吊保持手段９は、プール槽３の中心に垂設した軸３４と、一端を前記軸３４に固定され、他端をこの動物吊保持手段９に連結されたL字状の懸架部材３９とから構成された動物吊保持機構に備えられている。これによりプール槽３内において、動物２を保持した状態で運動させることができるため、予測不可能な行動を起こし得る動物２に対し、行動範囲を狭めることができ、歩行訓練や遊泳訓練に適したものとなり、また安全面において優れる。なお、図２等に示すように本実施形態では、動物吊保持手段９や動物吊保持機構が複数（８セット）設けられているが、そのセット数についてはこれに限らない。
【００３３】
この懸架部材３９は動物吊保持手段９をプール槽３内に位置するように懸架するものであって、動物吊保持手段９との接続部位に伸縮自在な伸縮部（例えば、縦型シリンダを用い、その縦型シリンダのロッドの伸縮により、動物吊保持手段を所定高さに位置させるように構成する。）４１を設けると好ましい。またこの伸縮部４１は、図４にハッチングで示すように、折りたたみ自在に取り付けると良い。この構成により、伸縮部４１を懸架部材３９に折りたたむことができ、動物吊保持手段９を懸架部材３９に収納するように押し上げることができる。このため、動物吊保持手段９を用いないでプール設備を利用する場合、動物吊保持手段９や懸架部材３９が邪魔とならずに快適に利用することができる。
【００３４】
なお、懸架部材３９の伸縮部４１の他の形態について、種々のものが考えられる。例えば、ゴム製ロープでも良いし、ゴム製に限らず索条（ワイヤー等）のものであっても良い。
【００３５】
また、図１、図３に示すように、懸架部材３９の頂点には装飾品１０が、伸縮部４１近傍には装飾パネル４２が取り付けられている。これにより美観に優れた動物用プール１が構成できる。
【００３６】
また、動物吊保持機構について、前記軸３４をプール槽３の中心に回転可能に垂設し、さらにこの軸３４を回転させるモータ（図示せず）を内蔵させることで回転遊戯具の機能（機構）を備えた構成にしてもよい。これにより動物２に対して安全で、かつスリルや楽しみを倍増させることができる遊戯設備的機能を備えた動物用プール１を提供することができる。さらに、前記伸縮部４１の伸縮動を図示しない制御装置により制御することにより、動物吊保持手段９が回転している際に、伸縮部４１が伸縮自在し、動物吊保持手段９が上下動するように構成してもよい（メリーゴーランド機能）。
【００３７】
そして、本実施形態の動物用プール１の回転床板６は、プール槽３内の底部４近傍から水面より上の位置に昇降動可能とすることで、回転床板６が、プール槽３内の底部４近傍に位置した場合には、動物吊保持手段９に保持された動物２は遊泳運動の訓練が可能となり、また回転床板６が、プール槽３内の水面より上に位置した場合には、動物２を動物吊保持手段９に保持しやすくなり、また回転床板６が、プール槽３内の底部４近傍から水面の間、すなわち所定の水深位置に位置した場合には、動物２を下半身が水に浸った状態で歩行運動させることができる。
【００３８】
次に、本実施形態の動物用プール１の動作の説明をする。
【００３９】
第一に、動物吊保持手段９を用いない状態で動物２が動物用プール１を利用する場合の動作について説明する。
【００４０】
先ず、回転床板６をプール槽３の側壁５の上端５ａ位置（初期位置）に昇動させる。これは回転床板６をベアリング１８を介して載置する昇降板１９を昇動させることにより行われる。このときの昇降動作は、プール槽３の外部に配置された油圧ポンプ２５により、プール槽３の内側壁５ｃ近傍に配置された縦型シリンダ２１を作動させ、この縦型シリンダ２１のロッド２２を下方に突出した状態にする。するとこのロッド２２に固定された一端側の索条２３が下方に引っ張られると共にプーリ２４により引っ張り方向が反転することで回転床板６に固定された多端側の索条２３が上方に引っ張られ、これにより昇降板１９が上昇し、回転床板６がプール槽３の側壁上端５ａに位置する。
【００４１】
そして、動物吊保持手段９を、伸縮部４１近傍より懸架部材３９に向けて折りたたんだ状態にする（図４のハッチングで示す状態）。このように動物吊保持手段９を折りたたんだ状態にすることで、動物２がプールを利用している際に邪魔にならずスムースに運動ができる。
【００４２】
そして、本実施例の動物用プール１を利用する動物２が、入口スロープ部１１の上り用スロープ１１ａから入り、踊り場１１ｂ、下り用スロープ１１ｃを通過して、リング状のプール槽３内の回転床板６上まで誘導される。
【００４３】
次に、回転床板６を水深が所定の深さになるように降動させる。この回転床板６の降動は、昇降板１９の降動に伴って行われる。そしてその動作は、ロッド２２と昇降板１９とをプーリ２４を介して取り付けられた索条２３は、昇降板１９および回転床板６の自重により、昇降板１９が下方に向かう方向に引っ張られており、油圧ポンプ２５により縦型シリンダ２１のロッド２２を上方へ移動させることで、そのロッド２２が上方移動した分、索条２３が移動し、これに伴い昇降板１９が下降し、回転床板６がプール槽３の所定の位置に配置する。そして、図５に示すように、動物の下半身が水中に浸った状態となる。
【００４４】
なお、入口スロープ部１１の下り用スロープ１１ｃは、踊り場１１ｂにヒンジ１３を介して回動自在に取付けられているため、回転床板６の降動に追従するように、下り用スロープ１１ｃが下がる。
【００４５】
この非回転状態において、動物２がリハビリに必要な運動（歩行運動）を行うことができる。また、回転床板６を回転させることで（回転状態）、特に歩行に特化した運動（例えば水流に逆らって歩行する運動）を行うことができる。なお、回転床板６の表面において、接続部材３３を遮蔽する遮蔽板３７を設けたことにより、動物２が接続部材３３に巻き込まれる事故を防止することができる。そして、この回転床板６の回転動作は、回転機構８によりなされる。この動作は、図示しない制御手段によりモータ３２を作動させ、このモータ３２の回転動がスプロケット３５を介して軸体３１に伝達され、これに伴い軸体３１に取付けた接続部材３３およびこの接続部材３３に固定された回転床板６が回転動する。なお回転床板６の回転は、昇降板１９上の複数のベアリング１８によりスムースになされる。そして、所定の水深に位置させた回転床板６上の動物２は、回転床板６を回転させることにより、水に浸った状態で歩行運動することができ、動物２の体重が足にほとんど掛かることなく、水の抵抗を利用して、足の筋肉を鍛えることができるので、特に肥満犬の運動や足の骨折後のリハビリに最適な運動が可能となる。
【００４６】
そして、所定の運動が終了すると、モータ３２の回転を制御して回転床板６の回転を停止させ、次いで縦型シリンダ２１を動作させて昇降板１９を昇動させ、回転床板６を初期位置へ移動させる。そして、動物２は出口スロープ部１２を通過してプール槽３から外に出る。
【００４７】
第二に、動物吊保持手段９を用いた状態で動物２が動物用プール１を利用する場合の動作について説明する。なお、先に説明した動作と同様の動作については、その説明を省略する。
【００４８】
先ず、回転床板６を初期位置に昇動させる。これは昇降板１９を昇動させることにより行われ、縦型シリンダ２１を作動させることでなすことができる。そして、動物２が入口スロープ部１１を通過して、プール槽３内の回転床板６上まで誘導される。
【００４９】
そして、動物２を動物吊保持手段９（ジャケット）に巻着させる。これは、懸架部材３９の伸縮部４１（詳しくは縦型シリンダとそのロッド）を調整して、回転床板６上の動物２を動物用吊保持手段９により保持させる。これにより、プール槽３内において、動物２を保持した状態で運動させることができるため、予測不可能な行動を起こし得る動物に対し、その行動範囲を狭めることができるため、安全面において適したものとなる。
【００５０】
次に、回転床板６を水深が所定の深さになるように降動させる。この回転床板６の降動は、昇降板１９の降動に伴って行われる。またこのとき動物吊保持手段９は、これに接続された懸架部材３９の伸縮部４１が伸びることで、動物２が水中に浸った状態となる。この懸架部材３９の伸縮部４１の動作は、伸縮部４１に内臓された縦型シリンダのロッドが伸びることでなされる。
【００５１】
この状態（非回転状態）において、動物がリハビリに必要な歩行などの運動を行うことができるが、さらに、回転床板６を回転させる回転状態で、流水に逆らう歩行運動を行うことができる。この回転床板６の回転動作は、回転機構８によりなされる。このような水に浸った状態での歩行運動は、動物２の体重が足にほとんど掛かることなく、水の抵抗を利用して、足の筋肉を鍛えることができるので、特に肥満犬の運動や足の骨折後のリハビリに最適である。しかも動物２を動物吊保持手段９に巻着させているため、安全面において優れる。
【００５２】
また、回転床板６を回転させることなく、動物吊保持手段９を動物吊保持機構により回転動を加えることで、動物２の歩行運動に関して、先の例とは異なる運動方法が可能となる。つまり、動物２を動物吊保持手段９により抱きかかえた状態で、運動させることにより、動物２の体重が足に全く掛けない状態で、前足後足の運動を行うことができる。そして、この動物吊保持機構による回転動作は、図示しない制御手段により軸に内臓させたモータを作動させ、このモータの回転動が直接軸３４を回転させ、これに伴い軸３４に取付けた懸架部材３９およびこの懸架部材３９に取付けた動物吊保持手段９が回転動する。そして、所定の水深に位置させた回転床板６の動物２は、動物吊保持手段９を回転させることにより、水に浸った状態で、かつ動物吊保持手段９により抱きかかえた状態で運動することができ、水の抵抗を利用して、足の筋肉を鍛えることができるので、特に肥満犬の運動や足の骨折後のリハビリに最適な運動が可能となる。
【００５３】
さらに、回転床板６をプール槽３の底４近傍まで降動させて利用する方法も可能である。つまり、図６に示すように、回転床板６が昇降板１９の降動によりプール槽３の底４まで下がり、さらに動物吊保持手段９を懸架する懸架部材３９の伸縮部４１が、所定位置（具体的には動物吊保持手段９に保持された動物２が完全に水没しない状態、すなわち動物２が水面に浮く様な状態位置）まで伸びることで、動物２を動物吊保持手段９により抱きかかえて完全に水中に浮いた様な状態で、運動させることができる。これにより、動物２の遊泳訓練はもちろん、体重が足に全く掛からない状態で、前足後足の運動を行うことができる。なおこのとき動物２の運動状態（特に水中内の足の動き）をプール槽３の外側壁５ｂに設けた窓部１７（図１参照）より容易に観察できるため、リハビリの治療効果を確認することができる。
【００５４】
そして、所定の運動が終了すると、モータの回転を制御して動物吊保持手段９の回転を停止させ、次いで昇降板１９を昇動させ、回転床板６を初期位置へ移動させる。そして、動物２を動物吊保持手段９から開放させて、出口スロープ部１２よりプール槽３の外へ出す。
【産業上の利用可能性】
【００５５】
本発明は、動物のリハビリを行うためのプールに利用すると好適なものである。
【図面の簡単な説明】
【００５６】
【図１】本発明の実施形態の動物用プールを示す斜視図である。
【図２】上記動物用プールを示す平面図である。
【図３】上記動物用プールの縦断面図である。
【図４】上記動物用プールの動作を示し、回転床板が側壁上部に位置する縦断面図である。
【図５】上記動物用プールの動作を示し、回転床板が所定の水深に位置する縦断面図である。
【図６】上記動物用プールの動作を示し、回転床板が床部に位置する縦断面図である。
【図７】上記動物用プールの回転床板と昇降板の間に備えられたベアリングを示す断面図である。
【図８】本発明の他の実施形態の動物用プールの昇降手段を示す断面図である。
【符号の説明】
【００５７】
１  動物用プール
２  動物
３  プール槽
４  底
５  側壁
５ａ  側壁上部
６  回転床板
８  回転機構
９  動物吊保持手段
３７  遮蔽板
【図１】
2007300881.tif 000003
【図２】
2007300881.tif 000004
【図３】
2007300881.tif 000005
【図４】
2007300881.tif 000006
【図５】
2007300881.tif 000007
【図６】
2007300881.tif 000008
【図７】
2007300881.tif 000009
【図８】
2007300881.tif 000010